(57)【要約】【課題】ランプ扉に対する補助ランプの上下位置姿勢の切り替えを簡易かつスムーズに行えるようにする。【解決手段】その基端側を中心として回動するランプ扉３と、このランプ扉３の先端部に対して回動することによって展開、格納される補助ランプ４とを備えるランプ装置において、一端部をランプ扉３に回動可能に取り付け、他端部を補助ランプ４の基端部に同じく回動可能に取り付けられるテンションリンク１１を備え、補助ランプ４の基端部をテンションリンク１１の一端部を中心に回動させることによって補助ランプ４のランプ扉３に対する上下位置が切り替えられるとともに、テンションリンク１１の他端部を中心に回動させることによって補助ランプ４を展開、格納する構成とした。【選択図】    図２
2004262279.tif 000002
【特許請求の範囲】
【請求項１】
その基端側を中心として回動するランプ扉と、前記ランプ扉の先端部に対して回動することによって展開、格納される補助ランプとを備えるランプ装置において、
一端部を前記ランプ扉に回動可能に取り付け、他端部を前記補助ランプの基端部に同じく回動可能に取り付けられるテンションリンクを備え、
前記補助ランプの基端部を前記テンションリンクの一端部を中心に回動させることによって前記補助ランプの前記ランプ扉に対する上下位置が切り替えられるとともに、前記テンションリンクの他端部を中心に回動させることによって前記補助ランプを展開、格納する構成としたことを特徴とするランプ装置。
【請求項２】
基端部を前記ランプ扉に回動可能に取り付け、先端部を前記補助ランプの基端部に回動可能に取り付けられたアクチュエータとを備え、
前記アクチュエータの伸縮によって、前記テンションリンクの一端部を中心にして前記補助ランプ基端部が前記ランプ扉に対して上下方向に切り替えられるとともに、前記テンションリンクの他端部を中心に前記補助ランプが展開、格納することを特徴とする請求項１に記載のランプ装置。
【請求項３】
前記補助ランプの基端部であって、前記ランプ扉側に突出するエンドヒンジと、
前記ランプ扉の先端部に設けられ、前記エンドヒンジと対のマウントとを備え、
前記エンドヒンジは、前記テンションリンクの他端部が結合するためのピンと、前記テンションリンクとの結合部分よりも下方位置に前記アクチュエータの先端部と結合するためのピンおよびガイドローラとを有する一方、
前記マウントは前記ガイドローラが上下方向に転接可能なガイド溝を有することで、前記補助ランプが下位置展開状態にあるときに、前記ガイドローラが前記ガイド溝の最深部に係合し、前記アクチュエータの伸張に伴って、前記ガイドローラが前記ガイド溝にガイドされながら上昇するとともに、前記補助ランプが上位置展開状態に達すると、前記ガイドローラが前記ガイド溝の最上部に位置することで前記補助ランプの上下位置を切り替える構成としたことを特徴とする請求項２に記載のランプ装置。
【請求項４】
前記補助ランプ側に突出して前記マウントに設けられたストッパと、前記テンションリンクの先端方向であるが他端部よりも後方に設けられたストッパピースとを有し、
前記テンションリンクが一端部を支点として上方に回動すると、前記ストッパピースが前記ストッパに下方から当接し、やがて前記ストッパピースが前記ストッパを押し退けて上昇し、
前記ストッパピースが前記ストッパ上方に係止すると前記補助ランプが上位置展開状態となって、以降前記ストッパを解除しないかぎり、前記テンションリンクの下降を規制する構成としたことを特徴とする請求項２又は請求項３に記載のランプ装置。
【請求項５】
上位置展開状態において、前記テンションリンクが前記ランプ扉の上板に当接することで前記テンションリンクの上方への回動を規制する構成としたことを特徴とする請求項１から請求項４のいずれか一つに記載のランプ装置。
【請求項６】
前記補助ランプの基端部から前記ランプ扉側に突出する一対のエンドヒンジと、
前記ランプ扉の先端部であって、前記エンドヒンジに対応する数のマウントとを備え、
前記一対のエンドヒンジ間には前記アクチュエータの先端部と結合されるコンロッドが直結されることを特徴とする請求項３から請求項５のいずれか一つに記載のランプ装置。
【請求項７】
前記ストッパの突出部は下方から上方に向って傾斜をもった凸形状を有し、しかも、前記ストッパに突出部を突出させるためのバネを設けたことを特徴とする請求項４から請求項６のいずれか一つに記載のランプ装置。
【請求項８】
前記テンションリンクは、前記マウント及び前記エンドヒンジを挟むように２対で設けられ、この２対のテンションリンク間に前記ストッパピースを嵌め込んだことを特徴とする請求項４から請求項７のいずれか一つに記載のランプ装置。
【請求項９】
前記マウントを板状とし、このマウントの先端部の高さの低い矩形部を補助ランプ支持部とし、前記補助ランプ支持部よりも後方に第１、第２の突起を設け、この第１、第２の突起との間にガイド溝を構成するとともに、前記補助ランプの基端部であって、貨物搬送面の裏面に設けた逆Ｌ字状の凹部とから、前記補助ランプが前記ランプ扉に対して下位置展開状態になった場合に、前記補助ランプ支持部の支持面が前記凹部の上面を支持する構成とすることで、前記補助ランプが水平状態からさらに下方に回動するのを規制することを特徴とする請求項３から請求項８のいずれか一つに記載のランプ装置。
【請求項１０】
前記補助ランプ支持部の先端であって、上面に対して垂直な面を有する反力受部と、
前記凹部の上面に対して垂直な面を有する側面とを備え、
前記補助ランプが前記ランプ扉に対して下位置展開状態になった場合に、前記反力受部と前記側面が接触するように構成することで、前記補助ランプの回動を規制することを特徴とする請求項９に記載のランプ装置。
【請求項１１】
前記反力受部と前記凹部の上面に対して垂直な面を有する側面とが前記補助ランプが前記ランプ扉に対して下位置展開状態になった場合に、前記反力受部と前記側面が接触するように構成するとともに、このとき、前記テンションリンクに前記補助ランプが前記マウント方向に引っ張られる引張力を持たせることで、前記補助ランプの回動を規制することを特徴とする請求項１０に記載のランプ装置。
【請求項１２】
前記補助ランプ支持部の上面と側面との角部を傾斜にカットした傾斜部たる第３ガイド面を設け、前記補助ランプが下位置展開状態から上位置展開状態、あるいはその逆へと切り替る過程で、前記補助ランプの前記凹部の上面と側面との交点であたる角部が前記第３ガイド面にガイドされながら昇降する構成としたことを特徴とする請求項９から請求項１１のいずれか一つに記載のランプ装置。
【請求項１３】
前記補助ランプと前記エンドヒンジをピンを介して着脱可能に連結したことを特徴とする請求項１から請求項１２のいずれか一つに記載のランプ装置。
【発明の詳細な説明】
【０００１】
【発明の属する技術分野】
本発明は、貨物輸送用航空機又は船舶等における貨物積降装置（ランプ装置）の改良に関する。
【０００２】
【従来の技術】
従来、例えば船舶等に用いられるランプ装置について開示されたものがある。このランプ装置は船体の上部甲板に設けられた枢支部を中心に回動するランプが、上部甲板と船内の下部甲板との間を橋渡しし、積載される車両等を上部甲板から下部甲板へ、あるいは下部甲板から上部甲板へと移動させるために設けられたものである。そして、このランプの先端部には、ランプに対して所定角度範囲内で揺動する補助ランプ（ランプフラップ）が取り付けられていて、この補助ランプがランプと下部甲板との間の段差を埋める作用をもたらす。これにより、積載車両が上下甲板間を移動する際に、車両の走行を円滑ならしめるものである（特許文献１参照）。
【０００３】
また、これとは別に、従来のランプ装置として、例えば図６から図９に示すものがある。
【０００４】
図６（ａ）は、貨物輸送用航空機の機体後部における貨物積載部を示した側面図である。貨物積載部には、支持ピン（図示せず）廻りに回動可能に支持されて、駆動装置１ａ、１ｂによってそれぞれ上下方向に駆動されるランプ扉３と上部扉２が設けられる。機体内に貨物を搬入、あるいは機体内から貨物を搬出する場合、上部扉２が上方に展開し、ランプ扉３が下方に展開されることで貨物搬入搬出口が確保される。
【０００５】
ランプ扉３の先端部に取り付けられた補助ランプ４は、ランプ扉３と接地面との段差を埋めて車両等が円滑に走行できるようにしたものである。
【０００６】
図６（ｂ）及び図７は、ランプ扉３とその先端部に取り付けられた補助ランプ４との関係を示したものである。ランプ扉３にはその先端部に補助ランプ４が取り付けられている。補助ランプ４はランプ扉３の先端部に取り付けられたアクチュエータ５によって回動可能に支持され、補助ランプ４がランプ扉３に対して略平行に開いた展開状態において貨物の搬入、搬出が行われ、補助ランプ４がランプ扉３に対して起立した状態で格納される。
【０００７】
なお、図７に示す従来例では、ランプ扉３に対して、補助ランプ４が４枚設けられているが、補助ランプ４の数は特にこの枚数に限定されるものではなく、１枚の場合もあるし、４枚以外の複数枚の場合もあり得る。
【０００８】
ところで、車両を自走によって搬入、搬出する場合、車両の走行が円滑に行われるために、ランプ扉３と補助ランプ４は段差なくフラットな状態で展開させるとともに、補助ランプ４の先端部と地面との接地面についても段差を極力排除するように展開される。
【０００９】
一方、図８に示すように、フォークリフト等を介して運ばれるパレット荷物を搬入、搬出する場合には、ローラに転接してパレット荷物を搬入、搬出するためのローラユニット４０を補助ランプ４上に置くとともに、補助ランプ４の上面（貨物搬送面）とローラユニット４０の転接面との間にフォークリフトのフォークが差し込まれるスペースを確保するため、ランプ扉３と補助ランプ４との間に所定の段差６を持たせる展開状態とする。
【００１０】
このように、ランプ装置は、補助ランプ４をランプ扉３に対して段差なくフラットに連続して展開させる場合（上位置展開状態）と、補助ランプ４とランプ扉３との間に所定の段差６を持たせて展開させる場合（下位置展開状態）とが必要となることから、通常、これら２つの状態を状況に合わせて切り替える必要が生じる。
【００１１】
図９（ａ）は補助ランプ４が上位置展開状態に、（ｂ）は補助ランプ４が下位置展開状態にある場合を示したものである。従来、これら２つの状態の切り替え、即ち、ランプ扉３に対する補助ランプ４の取り付け位置の付け替えは次のような手順で行われていた。
【００１２】
先ず、補助ランプ４を▲１▼矢印に示すように立ち上げるとともに、ランプ扉３を格納位置へと回動させる（▲２▼）。次いで、補助ランプ４とランプ扉３の連結を手動で解除し、補助ランプ４を吊り上げる（▲３▼）。補助ランプ４を前方（図面右方向）に段差ｈ分ずらした後（位置合わせをした後）に降ろし、さらに連結する（▲４▼）。この状態でランプ扉３を展開方向へと回動させるとともに（▲５▼）、補助ランプ４を水平展開位置へと回動させる（▲６▼）。これにより補助ランプ４が展開状態において、ランプ扉３と補助ランプ４との結合面において高さｈの段差が生じようになる。また、これとは逆に下位置展開状態から上位置展開状態へと切り替える場合には、前記手順の逆の動作を行えばよい。
【００１３】
【特許文献１】
実開平５−３７６８２号公報
【００１４】
【発明が解決しようとする課題】
しかしながら、このような従来のランプ装置にあっては、ランプ扉３に対する補助ランプ４の姿勢を上位置展開状態から下位置展開状態、あるいはその逆へと切り替えるのに逐一格納状態にする必要があるとともに、切り替えには補助ランプ４を吊り上げるための特別な装置が必要になるなど手間、労力がかかるという問題点があった。さらに、補助ランプ４をランプ扉３に連結する際もいちいち段差ｈ分の位置決めをしなければならないという問題点もあった。
【００１５】
本発明は以上の問題点に鑑みてなされたもので、ランプ扉に対する補助ランプの上下位置姿勢の切り替えを簡易かつスムーズに行えるようにすることを目的とする。
【００１６】
【課題を解決するための手段】
上記課題を解決するために、第１の発明は、その基端側を中心として回動するランプ扉と、このランプ扉の先端部に対して回動することによって展開、格納される補助ランプとを備えるランプ装置において、一端部を前記ランプ扉に回動可能に取り付け、他端部を補助ランプの基端部に同じく回動可能に取り付けられるテンションリンクを備え、補助ランプの基端部をテンションリンクの一端部を中心に回動させることによって補助ランプのランプ扉に対する上下位置が切り替えられるとともに、テンションリンクの他端部を中心に回動させることによって補助ランプを展開、格納する構成としたことを特徴とする。
【００１７】
これにより、補助ランプの姿勢を上位置展開状態から下位置展開状態、あるいはその逆へと切り替えるのに逐一格納状態にする必要がなくなるとともに、切り替えの際にその都度補助ランプをランプ扉から取り外さなくてもよい。
【００１８】
第２の発明は、第１の発明において、基端部をランプ扉に回動可能に取り付け、先端部を補助ランプの基端部に回動可能に取り付けられたアクチュエータとを備え、アクチュエータの伸縮によって、テンションリンクの一端部を中心にして補助ランプ基端部がランプ扉に対して上下方向に切り替えられるとともに、テンションリンクの他端部を中心に補助ランプが展開、格納することを特徴とする。
【００１９】
これにより、補助ランプの姿勢を上位置展開状態から下位置展開状態、あるいはその逆へと切り替えるのにアクチュエータの駆動のみによって行うことができ、状態の切り替えが簡易かつスムーズに行える。
【００２０】
第３の発明は、第２の発明において、補助ランプの基端部であって、ランプ扉側に突出するエンドヒンジと、ランプ扉の先端部に設けられ、エンドヒンジと対のマウントとを備え、エンドヒンジはテンションリンクの他端部が結合するためのピンと、テンションリンクとの結合部分よりも下方位置にアクチュエータの先端部と結合するためのピンおよびガイドローラとを有する一方、マウントはガイドローラが上下方向に転接可能なガイド溝を有することで、補助ランプが下位置展開状態にあるときに、ガイドローラがガイド溝の最深部に係合し、アクチュエータの伸張に伴って、ガイドローラがガイド溝にガイドされながら上昇し、補助ランプが上位置展開状態にあるとき、ガイドローラがガイド溝の最上部に位置することで補助ランプの上下位置を切り替える構成としたことを特徴とする。
【００２１】
これにより、下位置展開状態から上位置展開状態への切り替えを確実に行うことができる。
【００２２】
第４の発明は、第２又は第３の発明において、補助ランプ側に突出してマウントに設けられたストッパと、テンションリンクの先端方向であるが他端部よりも後方に設けられたストッパピースとを有し、テンションリンクが一端部を支点として上方に回動すると、ストッパピースがストッパに下方から当接し、やがてストッパピースがストッパを押し退けて上昇し、ストッパピースがストッパ上方に係止すると補助ランプが上位置展開状態となって、以降ストッパを解除しないかぎり、テンションリンクの下降を規制する構成としたことを特徴とする。
【００２３】
これにより、上位置展開状態において、テンションリンクあるいはエンドヒンジの下降を確実に防止できるとともに、ストッパをマウントに、ストッパピースをテンションリンクに設けたので、構成が単純になる。
【００２４】
第５の発明は、第１から第４のいずれか一つの発明において、上位置展開状態において、テンションリンクがランプ扉の上板に当接することでテンションリンクの上方への回動を規制するようにしたことを特徴とする。
これにより、上位置展開状態において、テンションリンクおよびエンドヒンジの上方への回動を確実に規制することができる。
【００２５】
第６の発明は、第３から第５のいずれか一つの発明において、補助ランプの基端部からランプ扉側に突出する一対のエンドヒンジと、ランプ扉の先端部であって、エンドヒンジに対応する数のマウントとを備え、一対のエンドヒンジ間にはアクチュエータの先端部と結合されるコンロッドが直結されることを特徴とする。
【００２６】
これにより、エンドヒンジを各補助ランプに一対設けることで、ランプ扉と補助ランプとの連結部分の剛性が高まるとともに、各エンドヒンジ間にコンロッド連結し、これにアクチュエータを取り付けることができるので、簡易なシステムを構成することができる。
【００２７】
第７の発明は、第４から第６の発明において、ストッパの突出部は下方から上方に向って傾斜をもった凸形状を有し、しかも、ストッパに突出部を突出させるためのバネを設けたことを特徴とする。
【００２８】
これにより、簡易なストッパ機構を構成することができる。
【００２９】
第８の発明は、第４から第７のいずれか一つの発明において、テンションリンクは、マウント及びエンドヒンジを挟むように２対で設けられ、この２対のテンションリンク間にストッパピースを嵌め込んだことを特徴とする。
【００３０】
これにより、ストッパピースを設ける特別なスペースを確保する必要がなくなる。
【００３１】
第９の発明は、第３から第８のいずれか一つの発明において、マウントを板状とし、このマウントの先端部の高さの低い矩形部を補助ランプ支持部とし、補助ランプ支持部よりも後方に第１、第２の突起を設け、第１、第２の突起との間にガイド溝を構成するとともに、補助ランプの基端部であって、貨物搬送面の裏面に設けた逆Ｌ字状の凹部とから、補助ランプがランプ扉に対して下位置展開状態になった場合に、補助ランプ支持部の支持面が凹部の上面を支持する構成とすることで、補助ランプが水平状態からさらに下方に回動するのを規制することを特徴とする。
【００３２】
これにより、下位置展開状態において、補助ランプの下方移動を規制することができる。
【００３３】
第１０の発明は、第９の発明にいおいて、補助ランプ支持部の先端であって、上面に対して垂直な面を有する反力受部と、凹部の上面に対して垂直な面を有する側面とを備え、補助ランプがランプ扉に対して下位置展開状態になった場合に、反力受部と側面が接触するように構成することで、補助ランプの回動を規制することを特徴とする。
【００３４】
これにより、下位置展開状態において、補助ランプの下方移動を規制することできるとともに、回動も規制することができる。
【００３５】
第１１の発明は、第１０の発明において、反力受部と凹部の上面に対して垂直な面を有する側面とが補助ランプがランプ扉に対して下位置展開状態になった場合に、反力受部と側面が接触するように構成するとともに、このとき、テンションリンクに補助ランプがマウント方向に引っ張られる引張力を持たせることで、補助ランプの回動を規制することを特徴とする。
【００３６】
これにより、下位置展開状態において、補助ランプ回動を確実に規制することができる。
【００３７】
第１２の発明は、第９から第１１のいずれか一つの発明において、補助ランプ支持部の上面と側面との角部を傾斜にカットした傾斜部たる第３ガイド面を設け、補助ランプが下位置展開状態から上位置展開状態、あるいはその逆へと切り替る過程で、補助ランプの凹部の上面と側面との交点であたる角部が第３ガイド面にガイドされながら昇降する構成としたことを特徴とする。
【００３８】
これにより、補助ランプの昇降過程で、補助ランプを確実にガイドすることができる。
【００３９】
第１３の発明は、第１から第１２のいずれか一つの発明において、補助ランプとエンドヒンジをピンを介して着脱可能に連結したことを特徴とする。
【００４０】
これにより、補助ランプをエンドヒンジから取り外すことができ、搭載物の空中投下等を行うことも可能となる。
【００４１】
【発明の実施の形態】
以下、本発明の一実施形態について、図面に基づいて説明する。
【００４２】
図１は本発明に係るランプ装置の正面図であって、補助ランプ４及びランプ扉３と補助ランプ４との取付関係を示したものであり、図２はそれを側面から示したものである。特に、図２の（ａ）はランプ扉３と補助ランプ４との間に所定の段差６を持たせた下位置展開状態を示したもので、図２の（ｂ）はランプ扉３と補助ランプ４の間に段差をなくして、ランプ扉３と補助ランプ４が連続して延びる上位置展開状態を示したものである。なお、図３は本ランプ装置の斜視図である。
【００４３】
図１、図２に示すように、ランプ装置は機体に対して開閉可能に取り付けられる貨物搬入搬出用のランプ扉３と、ランプ扉３の先端部に対して回動可能に取り付けられて地面等とのアクセスに用いられる補助ランプ４とを有する。補助ランプ４は油圧シリンダ９の伸縮によって展開、格納されるものである。貨物を機体内に搬入あるいは搬出する場合には、先ずランプ扉３が開き、次いで補助ランプ４が開かれる。
【００４４】
図２の（ａ）に示すように、ランプ扉３は下位置展開状態において補助ランプ４の上方に所定の段差６を確保する必要があることから、補助ランプ４に対して所定の段差６分厚さ寸法が大きく形成される。また、補助ランプ４との連結を担う連結部材であるマウント１０をその内部に形成している。
【００４５】
補助ランプ４は下位置展開状態において貨物搬送面１４がランプ扉３の上面に対して略平行になるよう形成される。したがって、この状態においては、ランプ扉３との連結部分において所定の段差６が形成される。また、補助ランプ４の先端部であって貨物搬送面１４の裏面には、上方に傾斜した接触面２４を有する。この接触面２４は上位置展開状態において貨物搬送面１４が地面と段差なく接するために設けられたもので、上位置展開状態においてランプ扉３の上面と貨物搬送面１４との間に段差をなくし、かつ、展開角度をランプ扉３に対して僅かに下方に傾斜して展開させたことと相まって車両が貨物搬送面１４等を円滑に走行できるようにしたものである。（図２の（ｂ））。
【００４６】
補助ランプ４の基端部には一対のエンドヒンジ２１が突出している。エンドヒンジ２１は補助ランプ４の基端部にピン２９を介して着脱可能に連結される。
【００４７】
このエンドヒンジ２１はテンションリンク１１を介してマウント１０と連結される。したがって、エンドヒンジ２１には、テンションリンク１１と結合するためのピン８が突出している。
【００４８】
一対のエンドヒンジ２１間にはコンロッド２２が直結されていて、コンロッド２２の中央部に油圧シリンダ９のロッド先端部が回動可能に結合される。一方、油圧シリンダ９の基端部はピン２３によってランプ扉３に回動可能に結合されている。したがって、油圧シリンダ９の伸縮によって補助ランプ４はランプ扉３に対してピン８を支点として展開、格納する。
【００４９】
エンドヒンジ２１にはさらに、ガイドローラ１５が取り付けられている。このガイドローラ１５はテンションリンク１１を結合するための前記ピン８のちょうど下方に位置するように取り付けられる。ガイドローラ１５については後述する。
【００５０】
なお、本実施形態によれば、エンドヒンジ２１と補助ランプ４はピン２９を介して結合され、ピン２９を引く抜くことで、補助ランプ４をエンドヒンジ２１から取り外すことができるようになっているが、これに限らず、エンドヒンジ２１と補助ランプ４は一体に形成してもよい。
【００５１】
また、本実施形態では、補助ランプ４の展開、格納に油圧シリンダ９を用いているが、これに限らず、例えば、空圧駆動、電磁駆動等のアクチュエータを用いてもよいことは勿論である。
【００５２】
テンションリンク１１はエンドヒンジ２１とマウント１０を連結するためのリンクであって、一端をマウント１０に（ピン１３によって回動自在に結合される。）、他端をエンドヒンジ２１に（ピン８によって回動自在に結合される。）にそれぞれ結合される。したがって、ピン１３を中心にテンションリンク１１を昇降させれば、エンドヒンジ２１の上下位置が切り替り、ピン８を中心にエンドヒンジ２１を回動させれば、補助ランプ４が展開、格納する。
【００５３】
ランプ扉３に一体結合されるマウント１０は、エンドヒンジ２１に対応するもので、例えば、図７の前記従来技術に示すように補助ランプ４が４枚ある場合には、各補助ランプ４にはそれぞれ２つのエンドヒンジ２１が取り付けられていて全体では８つのエンドヒンジ２１があることになるから、それに対応してマウント１０の数は８つということになる。逆に補助ランプ４が１枚の場合にはマウントの数は２つである。
【００５４】
図２、図３に示すように、マウント１０は略ランプ扉厚さ分の高さを有する板状をしており、ランプ扉３の先端部の空洞内に一体結合されている。したがって、マウント１０の上面はランプ扉３の上板３ａあるいはその補強部材と、マウント１０の下面はランプ扉３の底板あるいはその補強部材とそれぞれ結合される。
【００５５】
図４の（ａ）はマウント１０の側面図である。同図によれば、マウント１０の先端部（補助ランプ４側）が最も高さの低い矩形状をしており、その先端部からやや後方に、先端側から順にマウント１０の高さ寸法（ランプ扉３の厚さ寸法）よりも高さの低いそれぞれ第１の突起３３、第２の突起３４を有している。さらに、第１の突起３３よりも第２の突起３４の方が突起の高さが高くなっている。第１の突起３３の前方、すなわち、マウント１０先端の矩形部は補助ランプ支持部３８を構成し、第１の突起３３と第２の突起３４の間はエンドヒンジ２１に取り付けられたガイドローラ１５が上下方向に転接するガイド溝２８を構成している。そして第２の突起３４後方のストッパ部３５であって、第２の突起３４に対峙する面には、補助ランプ４側に突出するストッパ２５が内蔵されている。ストッパ２５の内部にはストッパ２５を補助ランプ４側に突出させるためのバネ２６が組み込まれている。ストッパ２５は下方から上方に向って傾斜をもった凸形状を有する。
【００５６】
補助ランプ支持部３８はその上面である支持面３０をランプ扉３の上面と略平行に形成するとともに、先端の垂直面に反力受部１９を構成する。また、支持面３０と反力受部１９との角部は傾斜にカットされている。この傾斜部を第３ガイド面１８という。
なお、第１の突起３３の第２の突起３４と対峙する面を第１ガイド面１６と、第１ガイド面と対峙する第２の突起の面を第２ガイド面１７とする。
【００５７】
本実施形態において、テンションリンク１１はマウント１０、エンドヒンジ２１を挟むようにして２対で設けられ、この２対のテンションリンク１１間にストッパピース２７が嵌め込まれている。そして、テンションリンク１１が上方に回動していくと、マウント１０に設けられ、補助ランプ４側に突出するストッパ２５にストッパピース２７が下方から当接するように構成されている。ストッパ２５の突出部は下方から上方に向かって傾斜をもった凸形状をしており、ストッパピース２７による下からの一定以上の押力に対して収縮するようになっている。ストッパピース２７がストッパ２５を押し退けて上昇すると、ストッパピース２７はストッパ２５によって係止され、ストッパピース２７、即ち、ストッパピース２７が嵌合されたテンションリンク１１の下降がここで規制される。ストッパピース２７が係止されたこの位置がちょうど上位置展開状態におけるエンドヒンジ２１の位置となるようにストッパ２５およびストッパピース２７がそれぞれ設けられる。
【００５８】
下位置展開状態において、エンドヒンジ２１に取り付けられたガイドローラ１５は、マウント１０に設けられたガイド溝２８の最深部に係合するようになっている。そして、テンションリンク１１が上昇するのに伴って、ガイドローラ１５もガイド溝２８にガイドされながら上昇する。したがって、下位置展開状態において油圧シリンダ９を伸張させると、この油圧シリンダ９の駆動力はガイドローラ２１をガイド溝２８に沿って上方に移動させる力として現れる。
【００５９】
こうして、ガイドローラ１５が上昇すると、それに伴いエンドヒンジ２１も上昇し、補助ランプ４が上位置展開状態に達する。上位置展開状態に達した補助ランプ４はストッパピース２７がストッパ２５によって規制されることにより、下降することなく、この位置に固定される。
【００６０】
なお、上位置展開状態で、ストッパ２５に規制されたテンションリンク１１はその先端部がランプ扉３の上板３ａに当接するようになっている。これは、上位置展開状態に達したら、テンションリンク１１（エンドヒンジ２１）がこれ以上上方に回動するのを規制するとともに、この位置で油圧シリンダ９をさらに伸張させることによって、規制されたテンションリンク１１の先端、即ち、エンドヒンジ２１に回動可能に支持されるピン８を支点として、補助ランプ４を格納できるようにするためである。したがって、補助ランプ４を格納しようとする場合、特に、下位置展開状態から補助ランプ４を格納しようとする場合、油圧シリンダ９の伸張によって、先ず上位置展開状態にし、油圧シリンダ９をさらに伸張させることで、ピン８を支点として補助ランプ４を格納するのである。つまり、下位置展開状態から補助ランプ４を格納する場合、上位置展開状態を経由してから格納することとなる。このように本発明に係るランプ装置は、補助ランプ４のランプ扉３に対する上下位置切り替えと補助ランプ４の展開、格納を一連の動作の中で連続して行えるという利点を有する。
【００６１】
ところで、前記とは逆に上位置展開状態から下位置展開状態に切り替える場合は、手動によってストッパを解除（もちろん、アクチュエータ等を用いて自動でストッパ２５を解除してもよい。）した後、油圧シリンダ９を収縮させればよい。
【００６２】
図２、図４の（ｂ）に示すように、補助ランプ４の基端部下側には逆Ｌ字状に加工された凹部３６が形成される。この凹部３６は下位置展開状態において補助ランプ支持部３８と当接するようになっている。より具体的には、凹部３６の上面３１が補助ランプ支持部３８の支持面３０と、凹部３６の側面７が補助ランプ３８の反力受部１９とそれぞれ当接することとなる。
【００６３】
これは、下位置展開状態で荷役に使用する場合、補助ランプ４の自重と積載重量による補助ランプ４の下方移動と時計廻りの回動を規制しなければならないことに起因する。そこで補助ランプ支持部３８における支持面３０で補助ランプ４の凹部３６の上面３１（貨物搬送面１４と略平行に形成される。）を支持することで補助ランプ４の下方移動を規制するとともに、補助ランプ４の時計廻りの回動を上下方向支持のみで規制する場合その偶力は一般的に大きく、これに対処すべくランプ扉３の重量を大きくする等の対策が必要となることに鑑み、前記上下支持と併せて、補助ランプ４展開時に反力受部１９と補助ランプ４の凹部３６の側面７が接触するように構成する。こうすることで接触の際に反力受部１９が側面７を押す方向に力Ｆ１が作用する。他方、このときテンションリンク１１は補助ランプ４をマウント１０側に引っ張る力Ｆ２を発生させるので、これら水平方向に働く偶力によって補助ランプ４の時計廻り回動を規制する。この偶力を生じさせる押し力Ｆ１と引っ張力Ｆ２とをマウント１０と補助ランプ４とで発生させることにより、ランプ扉３そのものの重量を増加させることなく、マウント１０の内部力として容易に対処することができる。
【００６４】
なお、補助ランプ支持部３８の支持面３０と反力受部１９の交点にあたる第３ガイド面１８について説明すると、第３ガイド面１８は補助ランプ４がランプ扉３に対して上下位置間で昇降する過程で、角部３７がこの第３ガイド面１８に沿って昇降できるように設けられたもので、角部３７をガイドする役割を果す。
【００６５】
以上の構成により、本発明に係るランプ装置は、ランプ扉３に対する補助ランプ４の上下位置の切り替えが簡易かつスムーズに行われるとともに、それぞれ上位置、下位置において、補助ランプ４が確実に固定される機構を設けた点に特徴を有するものである。
【００６６】
以上が本発明に係るランプ装置の構成であるが、次にその動作について説明する。
【００６７】
先ず、図２の（ｂ）に基づいて補助ランプ４の格納、展開動作について説明すると、補助ランプ４が格納状態にあるとき（図２の（ｂ）一点鎖線）、油圧シリンダ９は伸長状態、テンションリンク１１はエンドヒンジ２１側端部がランプ扉３の上板３ａに当接、さらにストッパピース２７はストッパ２５によって規制されている。この状態から補助ランプ４を展開状態に回動させる場合、油圧シリンダ９を収縮させる。そうするとストッパ２５によってテンションリンク１１の下方への回動が規制されているので、ピン８を支点に補助ランプが時計方向に回動する。回動は接触面２４が地面と接するまで行われる。補助ランプ４を展開状態から格納状態にする場合には、前記動作の逆の動作を行えばよい。すなわち、油圧シリンダ９の収縮によって、補助ランプ４は上位置展開状態となっているが、この状態から油圧シリンダ９を伸長させればテンションリンク１１は依然ストッパ２５およびランプ扉３の上板３ａに規制されているので、補助ランプ４はピン８を支点に回動し、格納状態となる。
【００６８】
次に、補助ランプ４の上下位置を下位置展開状態から上位置展開状態に切り替える場合の動作について、図５を基に説明する。
【００６９】
図５の▲１▼は、補助ランプ４が下位置展開状態にある場合を示したものである。このとき、補助ランプ４は自重によりピン８回りに時計方向の回転モーメント（以下、Ｍ１とする）を受けるが、テンションリンク１１と反力受部１８との力の釣合いによって水平状態を保っている。
【００７０】
この状態で油圧シリンダ９を伸張させると、今度はピン８回りに反時計方向の回転モーメント（以下、Ｍ２とする）を補助ランプ４が受けることになる。回転モーメントＭ２がＭ１を上回ると、ガイドローラ１５が第１ガイド面１６に接触するまで移動し、凹部側面７と反力受部１９との間に隙間を生じるようになる（同図▲２▼）。さらに油圧シリンダ９を伸長させると補助ランプ４はガイドローラ１５と補助ランプの逆Ｌ字状凹部３６の角部３７（角部３７が第３ガイド面１８にガイドされなから上昇する。）に規制されながらさらに上昇する。上昇途中で補助ランプ４の先端部は緩やかに降下するので、ガイドローラ１５は第２のガイド面１７側に移り、今度は第２のガイド面１７に規制されながら上昇する（同図▲３▼）。
【００７１】
ところで、本実施例のようにガイドローラ１５と第２ガイド面１７による規制にかかわらず、例えば、第３ガイド面１８を上方に延長して角部３７と第３ガイド面１８による規制のみによってもよい。また、第３部ガイド面１８や角部３７にかえてガイドローラ等を用いてもよいし、ガイドローラ１５にかえて他の摺動部材等を用いてもよい。
【００７２】
補助ランプ４が先端下がりの状態でテンションリンク１１がランプ扉３上板３ａに当接すると補助ランプ４の上方移動が規制される。このとき、ストッパピース２７がストッパ２５に掛かり、テンションリンク１１、補助ランプ４の下方への移動も同時に規制され、上位置展開状態となる（同図▲４▼）。
【００７３】
上位置展開状態でさらに油圧シリンダ９を伸長させると補助ランプ４は拘束されたテンションリンク１１のピン８を中心に反時計廻りに回動し、格納状態へと向う。
【００７４】
補助ランプ４が上位置展開状態から下位置展開状態へと切り替る場合は、上位置展開状態において、ストッパ２５を手動あるいはアクチュエータ等を用いて自動で解除して、上記とは逆の動作を繰り返せばよい。
【００７５】
【発明の効果】
本発明によれば、ランプ扉に対する補助ランプの姿勢をテンションリンクをもって行い、しかも、油圧シリンダの駆動によって自動的に行えるようにしたので、補助ランプの上下位置の切り替えが短時間に行え、切り替えるのに補助ランプを逐一格納状態にしたり、外したりする必要がなくなる。
【００７６】
また、上位置展開状態において、テンションリンクの下降がストッパによって規制され、かつ上方への回動もランプ扉の上板によって規制されるので、アクチュエータをさらに伸張させることで、そのまま補助ランプの格納が行え、下位置展開状態から上位置展開状態への移行および格納状態への移行が連続してスムーズに行える。
【００７７】
さらにまた、補助ランプの基端部の裏面に設けた逆Ｌ字状凹部の上面と側面が補助ランプ支持部の支持面および反力受部と下位置展開状態において当接し、さらにこのとき、テンションリンクが補助ランプをマウント方向に一定の張力で引っ張るので、これらを併せて、下位置展開状態における補助ランプの下降や回動を確実に抑えることができる。
【００７８】
また、下位置展開状態から上位置展開状態、あるいはその逆の動作を行う際に、ガイドローラがガイド溝に、角部が第３ガイド面に、それぞれガイドされながら昇降するので、補助ランプの上下位置切り替えが確実に行われる。
【００７９】
なお、本発明では、補助ランプとエンドヒンジがピンを介して着脱可能に連結されているので、補助ランプをエンドヒンジから取り外すことができ、搭載物の空中投下等を行うことも可能となる。
【図面の簡単な説明】
【図１】本発明の実施の形態を示すランプ装置の平面図である。
【図２】本発明の実施の形態を示すランプ装置の（ａ）は上位置展開状態、（ｂ）は下位置展開状態を表した側面図である。
【図３】本発明の実施の形態を示すランプ装置の斜視図である。
【図４】本発明の実施の形態を示すランプ装置の（ａ）はマウント、（ｂ）は補助ランプの基端部下側の凹部を表した側面図である。
【図５】本発明の実施の形態を示すランプ装置におけるランプ扉に対する補助ランプの上下位置切り替え動作を表した説明図である。
【図６】従来のランプ装置の（ａ）は貨物搬送等航空機の機体後部における側面図、（ｂ）はランプ扉と補助ランプを表した側面図である。
【図７】従来のランプ装置の斜視図である。
【図８】従来のランプ装置の下位置展開状態を表した側面図である。
【図９】従来のランプ装置の（ａ）は上位置展開状態、（ｂ）は下位置展開状態を表した側面図である。
【符号の説明】
３  ランプ扉
３ａ  ランプ扉上板
４  補助ランプ
６  下位置展開状態におけるランプ扉上面と貨物搬送との段差
８  ピン
７  凹部側面
９  油圧シリンダ（アクチュエータ）
１０  マウント
１１  テンションリンク
１４  貨物搬送面
１５  ガイドローラ
１６  第１ガイド面
１７  第２ガイド面
１８  第３ガイド面
１９  反力受部
２１  エンドヒンジ
２５  ストッパ
２７  ストッパピース
２８  ガイド溝
３０  支持面
３１  凹部上面
３３  第１突起部
３４  第２突起部
３５  ストッパ部
３６  凹部
３７  角部
３８  補助ランプ支持部
【図１】
2004262279.tif 000003
【図２】
2004262279.tif 000004
【図３】
2004262279.tif 000005
【図４】
2004262279.tif 000006
【図５】
2004262279.tif 000007
【図６】
2004262279.tif 000008
【図７】
2004262279.tif 000009
【図８】
2004262279.tif 000010
【図９】
2004262279.tif 000011